(57)【要約】【課題】照明器具として、機能や性能を充分に具備すると共に、用済後はリサイクル処理が容易であり、解体作業が容易であって、樹脂を再使用することが可能となる照明器具を提供すること。【解決手段】光源用部品、該光源を保護する光源カバー、および、該光源カバーを取り付ける支持体（光源カバー支持体）からなる照明器具であって、該光源カバーには、光透過性に優れ、光源の明るさを低下させることが少ないように全光線透過率：３０％以上を有する高輝度性ポリカーボネイト系樹脂を使用し、且つ、該光源カバー支持体には、無機充填材を加えたポリカーボネイト系樹脂を使用することを特徴とする照明器具。【選択図】　　　なし【特許請求の範囲】
【請求項１】
光源用部品、該光源を保護する光源カバー、および、該光源カバーを取り付ける支持体（光源カバー支持体）からなる照明器具であって、該光源カバーには、光透過性に優れ、光源の明るさを低下させることが少ないように全光線透過率：３０％以上を有する高輝度性ポリカーボネイト系樹脂を使用し、且つ、該光源カバー支持体には、無機充填材を加えたポリカーボネイト系樹脂を使用することを特徴とする照明器具。
【請求項２】
高輝度性ポリカーボネイト系樹脂が、ポリカーボネイトに光拡散剤を０．００５〜２０重量％の範囲で含有するものである請求項１に記載された照明器具。
【請求項３】
無機充填材が、繊維状無機充填材および板状無機充填材の少なくとも１つ、または、それらを組み合わせたものからなる請求項１または請求項２に記載された照明器具。
【請求項４】
門柱に設置することができる光源カバー支持体、該光源カバー支持体に取り付ける光源カバー、該光源カバーの内部に光源が配置されるようにした光源用部品により形成される門柱灯である請求項１〜請求項３のいずれか１項に記載された照明器具。
【請求項５】
庭に設置することができる光源カバー支持体、該光源カバー支持体に取り付ける光源カバー、該光源カバーの内部に光源が配置されるようにした光源用部品により形成されるガーデンライトである請求項１〜請求項３のいずれか１項に記載された照明器具。
【請求項６】
光源カバー支持体が無機充填材を加えたポリカーボネイト系樹脂からなる枠体部を有し、該枠体部に透明な高輝度性ポリカーボネイト系樹脂からなる板を着合させて光源カバーを形成し、該光源カバーおよび枠体部により形成される空間の内部に光源が配置されるように光源用部品を取り付けてエクスエリアライトを形成した請求項１〜請求項３のいずれか１項に記載された照明器具。
【発明の詳細な説明】
【０００１】
【発明の属する技術分野】
本発明は、照明器具に関し、さらに詳しくは、リサイクルが容易に行える照明器具に関する。
【０００２】
【従来の技術】
従来から、照明器具には種々の形態があり、複雑な形のものも多く、このため、これらの照明器具には種々の材料が使用されてきた。すなわち、これらの材料の主なものは、金属、ガラス、プラスチックがあり、金属では主としてスティール、アルミなどが使用され、プラスチックでは、ＰＢＴ（ポリブチレンテレフタレート）、ＰＥＴ（ポリエチレンテレフタレート）、ＰＭＭＡ（ポリメチルメタアクリレート）、ＰＣ（ポリカーボネイト）、ＰＳ（ポリスチレン）などの樹脂が使用されていた。これらの材料は、それぞれの部品に要求されるさまざまな性能（すなわち、機械的特性、耐熱性、耐光性、帯電防止性、高反射性、光透過性など）や照明器具としての審美的な要求に合わせて使い分けられていた。
【０００３】
しかしながら、近年では、電気器具は勿論のこと、住宅関連の部材にもリサイクルを行うことが要求されるようになってきた。照明器具においても、リサイクルを行うことが求められているが、前記のような種々の材料が使用されているためリサイクルの作業を困難なものにしている。
【０００４】
例えば、現在よく使用されている照明器具であるシーリングライトでは、天井と照明器具の間に本体ハウジングとして鉄製の板金が使用され、さらに蛍光灯などの光源を覆うプラスチック製の乳白色のグローブによりカバーされている。このシーリングライトをリサイクル処理する場合には、光源用部品、さらに、本体ハウジングの板金とプラスチック製のグローブはそれぞれ解体分離され、回収される必要がある。また、鉄やアルミなどの金属枠にガラスをはめ込み、該金属枠とガラスにより光源を取り囲むランプ型の照明器具がある。これらの照明器具では、光源用部品の他に、リサイクルのためには金属枠とガラスを解体し別々に回収する必要がある。このように照明器具の多くは、種々の材料からなる細かい部品が多く使用されているので、照明器具を解体し、それぞれの材料ごとに分別回収するには多くの手間と時間が必要であり、特に、集合住宅等の大規模な建造物の取り壊し作業では、照明器具を材料ごとに分別回収するには莫大な手間と時間が必要になり、リサイクルの推進には大きな問題となっている。
【０００５】
【発明が解決しようとする課題】
本発明は、かかる従来からの問題点を解決し、照明器具としての機能や性能を充分に発揮すると共に照明器具としての使用が終了した時に行うリサイクル処理、すなわち、解体、回収作業を容易に行うことが出来る照明器具を提案することである。
【０００６】
【課題を解決するための手段】
前記の課題は、光源用部品、該光源を保護する光源カバー、および、該光源カバーを取り付ける支持体（光源カバー支持体）からなる照明器具であって、該光源カバーには、光透過性に優れ、光源の明るさを低下させることが少ないように全光線透過率：３０％以上を有する高輝度性ポリカーボネイト系樹脂を使用し、且つ、該光源カバー支持体には、無機充填材を加えたポリカーボネイト系樹脂を使用することを特徴とする照明器具とすることにより解決される。
【０００７】
【発明の実施の形態】
以下、本発明を詳細に説明する。
【０００８】
本発明に使用する光源カバーには、光透過性に優れ、光源の明るさを低下させることが少ないように全光線透過率：３０％以上を有する高輝度性ポリカーボネイト系樹脂を使用する。該高輝度性ポリカーボネイト樹脂は、透明、若しくは、半透明、または、乳白色などの不透明なものが使用される。不透明な高輝度性ポリカーボネイト樹脂からなる保護カバーを介して光源を見た場合に、光源の位置が全くわからないような高散乱性の性能を有するものであってもよい。
【０００９】
このような高輝度性ポリカーボネイト系樹脂のうち乳白色などの不透明なものを使用するには、ポリカーボネイトに光拡散剤を加えたものを使用することが出来る。該光拡散剤としては、無機粒子および有機粒子のいずれもが使用可能であり、該光拡散剤の混合割合は、ポリカーボネ−ト樹脂に対し０．００５〜２０重量％の範囲で使用するものが例示される。該光拡散剤が、０．００５重量％未満では、部品の不透明性が充分でなく、または、充分な拡散性や散乱性が得られない恐れがあり、逆に、該光拡散剤が２０重量％を超える場合には、光透過性が低下し照明器具の部品には使用出来ない恐れがある。光拡散剤を０．００５〜２０重量％の範囲で使用したポリカーボネイト系樹脂は、全光線透過率：３０％以上の性能が得られ、且つ、光源の位置が分からないような高散乱性に優れた不透明なものが得られ、本発明で使用する高輝度性ポリカーボネイト系樹脂として好適に使用される。
【００１０】
なお、本発明で使用する全光線透過率は、以下の方法により測定する。
（ａ）試験片の作成：試験片となる樹脂を用いて、射出成形機［東芝機械（株）製：ＩＳ−１５０ＥＮ］により、シリンダー温度：３００℃、金型温度：１００℃の条件で、一辺の長さ：１５０ｍｍ、厚み：２ｍｍの平板状試験片を成形する。
（ｂ）全光線透過率の測定：村上色彩技術研究所（株）製のヘーズメーター［ＨＲ−１００］を使用して、前記平板状試験片の厚み方向の透過率（全光線透過率）をＡＳＴＭ　Ｄ１００３に従い測定する。
【００１１】
次に、本発明で使用する光源カバー支持体には、光源カバーと同様にポリカーボネイト系樹脂を使用する必要がある。すなわち、この部品に他の素材からなる樹脂等を使用した場合には、照明器具の使用が終了し、廃棄処理をする際にリサイクルの工程で各部品ごとに分別の作業等が必要になりリサイクル作業が複雑になり好ましくない。
【００１２】
このために、本発明で使用する光源カバー支持体には、ポリカーボネイトに無機充填材（無機フィーラー）を加えたものが好ましく使用される。すなわち、ポリカーボネイトに無機フィーラーを加えたものは、剛性、割れ（破損）、耐光性、質感、強度、成形性などに優れた性能を示し、光源カバー支持体に使用する材料として好適である。
【００１３】
ここに使用できる無機充填材の例としては、繊維状無機充填材、板状無機充填材が例示され、ポリカーボネイト樹脂に対し１〜６０重量％の範囲で加えたものを使用する。これらの無機充填材は、光源カバー支持体に要求される色相、強度、質感などの要求により適宜選択することができる。無機充填材の添加量が、１重量％未満の場合には、好ましい質感や強度が得られない恐れがあり、また、該無機充填材の添加量が、６０重量％を超える場合には、破損し易く、また、成形性が低下する恐れがあり好ましくない。
【００１４】
また、本発明に用いる光源用部品とは、白熱灯や蛍光灯などの光源、該光源に電気を供給する配線、蛍光灯の場合に使用する安定器やグロー球、スウィッチなどを含むものであり、これらの光源用部品には従来から使用されている公知のものを用いることができる。
【００１５】
図により本発明をさらに詳細に説明する。
【００１６】
図１は、門柱に設置する門柱灯の例を示す断面図である。図１において、２は光源１を保護する光源カバーを示し、該光源カバー２は、有機粒子を０．５〜２．０重量％の範囲で加えて得られる、全光線透過率が４５％以上を示す乳白色の高輝度性ポリカーボネイト系樹脂からなる。
【００１７】
さらに、図１において、３は光源カバー支持体であって、繊維状無機充填材および板状無機充填材のうち１種または２種以上をポリカーボネイト系樹脂に対して１〜６０重量％、好ましくは１０〜４０重量％加えて得られるポリカーボネイト系樹脂からなる。なお、図１において、１は光源となるランプを、４は門柱を示す。
【００１８】
図２は、庭に設置するガーデンライトの例を示す側面図である。図２において、２は光源１を保護する光源カバーを示し、該光源カバー２は、図１に示す門柱灯で使用したものと同様の乳白色の高輝度性ポリカーボネイト系樹脂からなる。
【００１９】
さらに、図２において、３は光源カバーを取り付けるための光源カバー支持体であって、図１に示す門柱灯で使用したものと同様のポリカーボネイト系樹脂からなる。なお、該光源支持体は、４に示すコンクリートなどの土台の上に固定されている。
【００２０】
図３は、ランタン型のエクステリアライトの例を示す斜視図である。図３において、２は光源１を保護する光源カバーを示し、該光源カバー２は、透明な高輝度性ポリカーボネイト系樹脂の板からなる。該透明な高輝度性ポリカーボネイト系樹脂の板は、該板を取り囲むようにして形成される枠体部３’に着合されて脱落しないように保持されている。該光源１は、光源カバー２と枠体部３’、および、光源カバー支持体３によって取り囲まれる空間に設置され保護されている。
【００２１】
このような枠体部は、従来のものでは、アルミ、鉄などの金属により形成されてきた。しかし、本発明に使用する枠体部３’は、光源カバー支持体の一部であって、繊維状無機充填材および板状無機充填材のうち１種または２種以上を１０〜３０重量％の範囲で加えて得られるポリカーボネイト系樹脂から作成される。また、該光源カバー支持体３は、図１に示す門柱灯で使用したものと同様の無機充填材を１０〜４０重量％加えて得られるポリカーボネイト系樹脂からなる。なお、３’’は、光源カバー支持体３の一部であって、該光源カバー支持体３と同様の無機充填材入りポリカーボネイト系樹脂からなり、光源カバー２と枠体部３’により形成される空間を上からカバーするものである。
【００２２】
【発明の作用】
以上述べたように、本発明は照明器具を構成する光源を保護する光源カバー、および、該光源カバー支持体が共にポリカーボネイト系樹脂からなるために、該照明器具の使用が終了して廃棄処理をする際には、光源用部品とそれ以外の部品とに分別するだけでよく、光源カバーと光源カバー支持体とを分別する必要がなく同一素材として回収することができ、回収されたポリカーボネイト系樹脂は、別の用途に再使用することが出来る。
【００２３】
ポリカーボネイト系樹脂は、元来、耐熱性や耐光性に優れた素材であるが、ポリカーボネイトに無機フィーラーを加えることにより、剛性、割れ（破損）、質感、強度、成形性を改良することができ、優れた光源カバー支持体として使用できる。
【００２４】
さらに、ポリカーボネイト系樹脂は透明な素材を得ることは勿論、特殊な添加剤を加えることにより、光の拡散性や散乱性が優れている上に光透過性に優れた素材を得ることができ、乳白色の着色を施しても光源の輝度を低下させない、優れた高輝度性の光源保護カバーに供することができ、耐光性にも優れたものである。
【００２５】
従来から、照明器具に使用されているＰＢＴ系の樹脂では、不透明であるため光透過性が低く、高輝度性が要求される光源カバーに使用するには不適切であり、一方、透明性に優れたＰＭＭＡ系の樹脂では、耐熱性や耐光性が不良であるために光源カバー支持体に使用するには不適切な樹脂である。従来は、他の樹脂からなる部品と組み合わせて使用されてきた。このために、廃棄処理に際しては、それぞれの樹脂に分別する必要があり、同一素材からなる本発明の照明器具と比べて、リサイクルが容易に行えるのもではなかった。
【００２６】
【発明の効果】
地球環境を守るために、リサイクルの必要性や重要性がますます増加すると思われるが、本発明の照明器具はこのようなニーズに対応するものであり、有望な製品としての展開が期待される。
【図面の簡単な説明】
【図１】門柱に設置する門柱灯の例を示す断面図である。
【図２】庭に設置するガーデンライトの例を示す側面図である。
【図３】ランタン型のエクステリアライトの例を示す斜視図である。
【符号の説明】
１　光源を示す。
２　光源カバーを示す。
３　光源カバー支持体を示す。
【図１】
2004119094.tif 000002
【図２】
2004119094.tif 000003
【図３】
2004119094.tif 000004